(57)【要約】【課題】  召合せ框の構造を変えることなく、後付けで施錠装置を設置することができるとともに、防犯性能の高い開口部装置を提供する。【解決手段】  施錠装置Ｓが、室外側の外障子７の召合せ框１４に設けられた錠受け３０と、室内側の内障子８の召合せ框２４に設けられた錠本体部４０とを備え、錠本体部４０は、召合せ框２４に、ケース４１の外部からケース４１の貫通孔４８を通してねじ込まれるねじ４５により取り付けられているケースと４１、このケース４１内に設けられた錠本体と、この錠本体の施錠および解錠の動作に連動して移動し、錠本体の施錠時には、ケース４１の貫通孔４８とねじ４５との間に位置するねじ外し防止部材５５とを備えている。【選択図】    図２
2005315014.tif 000002
【特許請求の範囲】
【請求項１】
枠体内の室外側および室内側の少なくとも一方に、障子が摺動可能に設けられている開口部装置であって、
施錠装置が、室外側の前記障子あるいは嵌め殺し部の召合せ框に設けられた錠受けと、室内側の前記障子または嵌め殺し部の召合せ框に設けられた錠本体部とを備え、
前記錠本体部は、
室内側の前記障子または嵌め殺し部の召合せ框に、ケースの外部からケースの貫通孔を通してねじ込まれるねじにより取り付けられているケースと、
このケース内に設けられた錠本体と、
この錠本体の施錠および解錠の動作に連動して移動し、前記錠本体の施錠時には、前記ケースの前記貫通孔と前記ねじとの間に位置するねじ外し防止部材とを備えていること特徴とする開口部装置。
【発明の詳細な説明】
【技術分野】
【０００１】
本発明は、引き違いサッシまたは片引きサッシ等のように、枠体内の室外側および室内側の少なくとも一方に、障子が摺動可能に設けられている開口部装置に関する。
【背景技術】
【０００２】
従来、引き違いサッシには、例えば、クレセント錠のような施錠装置が設けられている。このクレセント錠は、内障子の召合せ框に錠本体を取り付けるとともに、外障子の召合せ框に錠受けを取り付け、錠本体を回動しての係合部を錠受けに係合し施錠するものである。
しかしながら、このクレセント錠は、障子の一部を破って手を差し込み、簡単に解錠することが可能であるという問題がある。
【０００３】
そこで、障子が破られても解錠が難しい施錠装置を備えた引き違いサッシが種々提案されている。例えば、特許文献１には、室内側引戸の召合せ部と室外側引戸の召合せ部に、室内側から一連の施錠孔を開設し、室外側引戸の召合せ部には雌ねじ孔を設ける。そして、施錠孔の長さより短いねじ式の錠杆を、錠杆の後端部に凹凸で噛み合う操作片により回し、錠杆の先端部の雄ねじ部を錠施錠孔の雌ねじ孔にねじ込み、施錠するものが記載されている。
【０００４】
また、特許文献２には、外障子における召合せ框の室内側の面に形成された係合溝と、この係合溝に連通する内障子の召合せ框を室内外方向に貫通して形成された連通孔と、この連通孔に水平に差し込まれた操作棒および係合溝を上下に移動するアンカー備えた錠本体とからなり、それらの係合溝または連通孔に、上方に持ち上げた状態でのみそのアンカーを連通孔側へ抜き出し可能な拡大部を設けたものなどが記載されている。
【０００５】
【特許文献１】実開平６−３２６４５号公報
【特許文献２】特開２００３−８２９０８号公報
【発明の開示】
【発明が解決しようとする課題】
【０００６】
しかしながら、特許文献１および特許文献２に記載の引き違いサッシにあっては、施錠装置の錠受けおよび錠本体が召合せ框内に設けられているので、防犯性能は高まるものの、召合せ框の構造が複雑になるという問題がある。また、この施錠装置を、クレセント錠等に代えてまたは追加して設置することが困難であるという問題がある。
【０００７】
本発明は、前記事情に鑑みて為されたもので、召合せ框の構造を変えることなく、後付けで施錠装置を設置することができるとともに、防犯性能の高い開口部装置を提供することを目的とする。
【課題を解決するための手段】
【０００８】
前記目的を達成するために、請求項１に記載の開口部装置は、枠体内の室外側および室内側の少なくとも一方に、障子が摺動可能に設けられている開口部装置であって、
施錠装置が、室外側の前記障子あるいは嵌め殺し部の召合せ框に設けられた錠受けと、室内側の前記障子または嵌め殺し部の召合せ框に設けられた錠本体部とを備え、
前記錠本体部は、
室内側の前記障子または嵌め殺し部の召合せ框に、ケースの外部からケースの貫通孔を通してねじ込まれるねじにより取り付けられているケースと、
このケース内に設けられた錠本体と、
この錠本体の施錠および解錠の動作に連動して移動し、前記錠本体の施錠時には、前記ケースの前記貫通孔と前記ねじとの間に位置するねじ外し防止部材とを備えていること特徴とする。
【発明の効果】
【０００９】
請求項１に記載の開口部装置によれば、室内側の障子あるいは嵌め殺し部の召合せ框に取り付けられたケース内に、施錠装置の錠本体が設けられているので、室外から覗いても、施錠のタイプや施錠の状態が分かり難く、空き巣等が侵入を躊躇するため、防犯性能が高い。また、障子等の一部が破って施錠装置を解錠しようとした場合でも、錠本体がケース内に設けられているので、錠本体が見え難く、施錠方法が分かり難いため、解錠され難い。
【発明を実施するための最良の形態】
【００１０】
以下、本発明の実施の形態を図面に基づいて説明する。
図１〜図１０は、本発明の第１の実施の形態に係る引き違いサッシ（開口部装置）を示す図であって、図１は室内側からみた姿図であり、図２は要部の横断面図であり、図３は解錠状態の施錠装置の縦断面図であり、図４は錠受けを上側から見た図であり、図５は錠受けを室内側から見た図であり、図６は解錠状態の錠本体部を室外側から見た斜視図であり、図７は解錠状態の錠本体部を室内側から見た斜視図であり、図８は解錠状態の錠本体部の側面図であり、図９は解錠状態の錠本体部を室内側から見た図であり、図１０は解錠状態の錠本体部を上側から見た図である。
【００１１】
この２枚建ての引き違いサッシは、上枠１、下枠２および左右の縦枠３、４からなる枠体５と、この枠体５に水平移動自在に設けられた網戸６、外障子（障子）７および内障子（障子）８とを備えている。外障子７は、中空の上框１１、下框１２、戸先框１３および召合せ框１４とにより方形の框組体１５が組み立てられ、この框組体１５に複層ガラス１６が組み込まれて構成されている。また、内障子８は、中空の上框２１、下框２２、戸先框２３および召合せ框２４とにより方形の框組体２５が組み立てられ、この框組体２５に複層ガラス１６が組み込まれて構成されている。
上枠１、下枠２および左右の縦枠３、４、上框１１、下框１２、戸先框１３および召合せ框１４、ならびに上框２１、下框２２、戸先框２３および召合せ框２４は、例えば、アルミニウム合金製の押出形材からなる。
【００１２】
外障子７の召合せ框１４および内障子８の召合せ框２４には、真ん中より少し下側の位置に、施錠装置Ｓが設置されている。この施錠装置Ｓは、次のように構成されている。
すなわち、外障子７の召合せ框１４の室内側には、錠受け３０が設けられている。この錠受け３０は、召合せ框１４の室内側壁３２の室外側にその一端を当てられて、外障子７の面内側（戸先側）に延びる第１取付板３３と、召合せ框１４の室内側壁３２の室内側にその一端を当てられて、第１取付板３３に重ねられている第２取付板３４とが、召合せ框１４の室内側壁３２を挟んでねじにより固定されている。第２取付板３４の中央部には、円形の貫通孔３５が形成されており、また第１取付板３３には、室外側に窪んでいる扁平な円柱状の凹部３６が形成されている。凹部３６は、貫通孔３５と同心でかつ貫通孔３５より内径が大きく設定されており、貫通孔３５は凹部３６により室外側を覆われている。錠受け３０は、２枚の取付板３３、３４から構成され、第２取付板３４の長穴３７に沿って第２取付板３４の位置を第１取付板３３に対して移動させることにより、貫通孔３５の位置を調整することができる。
【００１３】
一方、内障子８の召合せ框２４には、錠本体部４０が設けられている。錠本体部４０は略四角箱状のケース４１を備えており、このケース４１内に、後述する第１移動部材、係合部材および第２移動部材を備えた錠本体が収められている。ケース４１の一方の側壁４２が召合せ框２４の戸先と反対側の壁４４にねじ４５により固定されている。このねじ４５は、ケース４１の側壁４２およびこの側壁４２と対向する側壁４６に形成された貫通孔４７、４８を通して、側壁４６側から召合せ框２４の壁４４にねじ込まれ、これにより側壁４２が召合せ框２４の壁４４に固定される。貫通孔４８には蓋４９が取り付けられている。
【００１４】
ケース４１内には、室内外方向に延びる筒状の第１移動部材５０が室内外方向に移動可能に設けられている。この第１移動部材５０は、ばね（付勢部材）５１により室内側に付勢されている。第１移動部材５０の先端部（室外側端部）には、複数個（本例では左右の２個）の係合部材５２が第１移動部材５０の径方向に移動可能に設けられている。これらの係合部材５２は、ばね（付勢部材）５３により径方向内方に付勢されている。第１移動部材５０の後端部の上部には、テーパ面５４が形成されている。また、第１移動部材５０の外周部には、戸先側と反対側（ケース４１の側壁４６側）に、上下方向に延びる板状のねじ外し防止部材５５が設けられている。
【００１５】
第１移動部材５０内には、室内外方向に延びるピストン状の第２移動部材５６が室内外方向に移動可能に嵌入されている。この第２移動部材５６は、ばね（付勢部材）５７により室内側に付勢されている。第２移動部材５６の先端部には、先端に向かうにつれて漸次細くなる先細り部５８が形成されており、この先細り部５８が第１移動部材５０の係合部材５２の内周部に挿入されると、係合部材５２がばね５３の付勢力に抗して径方向外方に移動し、第１移動部材５０の外周部から外方に突出するようになっている。第２移動部材５６の後端部（室内側端部）の上部には、テーパ面５９が形成されている。
【００１６】
また、ケース４１内の室内側には、上下方向に延びる板状の操作部材６０が上下移動可能に設けられている。操作部材６０の下端にはテーパ面６１が形成されており、操作部材６０を下降させることにより、テーパ面６１が第１移動部材５０のテーパ面５４に当接し、第１移動部材５０をばね５１の付勢力に抗し室外側に押し出し、その後テーパ面６１が第２移動部材５６のテーパ面５９に当接し、第２移動部材５６をばね５７の付勢力に抗して室外側に押し出すようになっている。
【００１７】
第１移動部材５０は、係合部材５２がケース４１の室外側壁６３に形成された開口部６４から外方に突出し、錠受け３０の貫通孔３５を通過して凹部３６内に位置するまで、操作部材６０により押し出される。第１移動部材５０が操作部材６０により押し出された状態のとき、ねじ外し防止部材５５はケース４１を召合せ框２４に固定しているねじ４５を隠す位置に位置するようになっている。
【００１８】
また、第２移動部材５６は、先細り部５８がケース４１の開口部３９から外方に突出し、錠受け３０の貫通孔３５を通過して凹部３６内に突出し、先細り部５８が第１移動部材５０の係合部材５２の内周部に当接して、係合部材５２の外径が貫通孔３５の径より大きくなるように係合部材５２を径方向外方に押し開くまで、操作部材６０により押し出される。
操作部材６０には、室内側に突出する操作部６２が設けられており、この操作部６２はケース４１の室内側壁６３に形成された開口部６４を通して操作できるようになっている。この操作部材６０には、施錠時に操作部材６０を動かすことができないように、番号式鍵等の鍵（図示せず）により鍵をかけられる。
【００１９】
このように構成された引き違いサッシにおいて、施錠装置Ｓを施錠するには、操作部材６０の操作部６２を指で押し下げる。そうすると、操作部材６０が下降して行き、まず、操作部材６０のテーパ面６１が第１移動部材５０のテーパ面５４に当接して、第１移動部材５０をばね５１の付勢力に抗して室外側に押し出し、第１移動部材５０の係合部材５２が錠受け３０の貫通孔３５から凹部３６内に突出する。操作部材６０がさらに下降すると、操作部材６０のテーパ面６１が第２移動部材５６のテーパ面５９に当接して、第２移動部材５６をばね５７の付勢力に抗して室外側に押し出し、第２移動部材５６の先細り部５８が第１移動部材５０の係合部材５２の内周部に当接して、ばね５３の付勢力に抗して係合部材５２を径方向外方に押し開き、これにより係合部材５２の外径が貫通孔３５の径より大きくなり、係合部材５２が貫通孔３５から抜けなくなる。この施錠状態において、ねじ外し防止部材５５はケース４１を召合せ框２４に固定しているねじ４５を隠す位置に移動しており、ねじ４５を取り外すことができない。
【００２０】
一方、施錠装置Ｓを解錠するには、操作部材６０の操作部６２を指で引き上げる。そうすると、操作部材６０が上昇して行き、まず、操作部材６０のテーパ面６１が第２移動部材５６のテーパ面５９から離れて、第２移動部材５６がばね５７の付勢力により室内側に移動して、ケース４１内に戻され、これにより第２移動部材５６の先細り部５８が第１移動部材５０の係合部材５２の内周部から離れて、ばね５３の付勢力により係合部材５２が径方向内方に移動し、係合部材５２の外径が貫通孔３５の径より小さくなる。操作部材６０がさらに上昇すると、操作部材６０のテーパ面６１が第１移動部材５０のテーパ面５４から離れて、第１移動部材５０がばね５１の付勢力により室内側に移動して、ケース４１内に戻される。この解錠状態において、ねじ外し防止部材５５はケース４１を召合せ框２４に固定しているねじ４５を隠す位置から室内側の位置に移動しており、ねじ４５を取り外すことができる。
【００２１】
この引き違いサッシにあっては、内障子８の召合せ框２４に設けられたケース４１内に、施錠装置Ｓの錠本体が設けられているので、引き違いサッシを室外から覗いても、施錠のタイプや施錠の状態が分かり難く、空き巣等が侵入をためらうため、防犯性能が高い。また、外障子７あるいは内障子８の一部が破って施錠装置Ｓを解錠しようとした場合でも、錠本体がケース４１内に設けられているので、錠本体が見え難く、施錠方法が分かり難いため、解錠され難い。また、クレセント錠などの施錠装置が設置されている引き違いサッシにおいて、召合せ框２４の構造を変えることなく、クレセント錠に代えてまたは追加して、施錠装置Ｓを容易に設置することができる。さらに、施錠操作すると、ねじ外し防止部材５５がケース４１を召合せ框２４に固定しているねじ４５を隠すので、貫通孔４８を通じてねじ４５を緩め、錠本体部４０を内障子８から取り外すのを防止することができ、防犯性能がさらに高い。また、操作部材６０を押し下げることにより、係合部材５２が錠受け３０に係合されて抜けなくなり、操作部材６０を引き上げることにより、係合部材５２の錠受け３０への係合が解除されるので、施錠操作および解錠操作が簡単である。また、操作部材６０を移動させればよいので、電動式などの自動式にするのも容易である。また、係合部材５２を錠受け３０に係合させることにより施錠するので、錠受け３０の貫通孔３５と第１移動部材５０との芯出し精度が低くても、確実に施錠を行うことができる。
【００２２】
図１１〜図１９は、本発明の第２の実施の形態に係る引き違いサッシ（開口部装置）を示す図であって、図１１は要部の横断面図であり、図１２は施錠装置の縦断面図であり、図１３は解錠状態の錠本体部を室外側から見た斜視図であり、図１４は解錠状態の錠本体部を室内側から見た斜視図であり、図１５は解錠状態の錠本体部の側面図であり、図１６は解錠状態の錠本体部を室外側から見た図であり、図１７は解錠状態の錠本体部を上側から見た図であり、図１８は錠受けの側面図であり、図１９は錠受けを上側から見た図である。なお、図１１〜図１９において、第１の実施の形態に係る図１および図２と同様の構成要素には同一符号を付してその説明を省略または簡略化する。
【００２３】
この実施の形態では、施錠装置Ｓ１が次のように構成されている。
すなわち、錠受け３０Ａは、外障子７の召合せ框１４に一端部をねじにより固定され、外障子７の面内側（戸先側）に延びており、室内側に少し膨出している部分に、雌ねじ６３が設けられている。
【００２４】
一方、内障子８の召合せ框２４には、錠本体部４０Ａが設けられている。錠本体部４０Ａは箱状のケース６５を備えており、このケース６５内に、後述する回転部材および六角ボルトを備えた錠本体が収められている。ケース６５の一方の側壁６６が召合せ框２４の戸先と反対側の壁４４にねじ４５により固定されている。このねじ４５は、ケース６５の側壁６６およびこの側壁６６と対向する側壁６７に形成された貫通孔６８、６９を通して、側壁６７側から召合せ框２４の壁４４にねじ込まれ、これにより側壁６６が召合せ框２４の壁４４に固定される。貫通孔６９の部分には蓋７０が嵌合されている。
【００２５】
ケース６５内には、室内外方向に延びる有底筒状の回転部材７１が、開口部を室外側に向けて、回転可能に設けられている。また、ケース６５内の室内側には、上下方向に延びる板状の操作部材７２が上下移動可能に設けられている。操作部材７２には、室内側に突出する操作部７３が設けられており、この操作部７３はケース６５の室内側壁７４に形成された開口部７５を通して操作できるようになっている。
また、ケース８５の実内側の上部には、番号式の鍵７６が設置されている。この鍵７６は、番号部７６ａを設定された番号にしないと鍵が開かないようになっている。この操作部材７２には、施錠時に操作部材７２を動かすことができないように、この番号式鍵により鍵をかけられる。なお、この番号式鍵７６は、使用者が番号を自由に設定し直すことができるタイプのものを用いるのが好ましい。
【００２６】
操作部材７２を下降および上昇させることにより、回転部材７１が正回転および逆回転するようになっている。すなわち、操作部材７２には、上下方向に延びるラック７７が固定されており、このラック７７に２段歯車７８の小歯車７９が歯合され、さらに２段歯車７８の大歯車８１にもう１つの２段歯車８２の小歯車８３が歯合され、さらにこの２段歯車８２の大歯車８４に回転部材７１の室外側の端部に固定された小歯車８５が歯合されている。
【００２７】
回転部材７１の室内外方向に延びる穴（内部空間）８７は、六角柱状に形成されており、この穴８７には、六角ボルト８８の頭部が嵌合されている。この六角ボルト８８の先端部は、ケース６５の室外側壁９１に固定されているナット９２に螺合されている。このナット９２に対向する位置に、錠受け３０Ａの雌ねじ６３が配置されている。したがって、回転部材７１が正回転すると、六角ボルト８８が穴８７内を室外側に移動し、六角ボルト８８の先端部が錠受け３０Ａの雌ねじ６３にねじ込まれ、他方回転部材７１が逆回転すると、六角ボルト８８が穴８７内を室内側に移動し、六角ボルト８８の先端部が錠受け３０Ａの雌ねじ６３から離れるようになっている。
【００２８】
また、回転部材７１の戸先側と反対側（ケース６５の側壁６７側）には、上下方向に延びる板状のねじ外し防止部材９４が室内外方向に移動可能に設けられている。回転部材７１の外周部には、ねじ９５が形成されており、このねじ９５がねじ外し防止部材９４に形成されているねじと螺合しており、これにより回転部材７１が正回転すると、ねじ外し防止部材９４が室外側に移動し、六角ボルト８８が雌ねじ６３にねじ込まれたときに、ケース６５を召合せ框２４に固定しているねじ４５を隠す位置に位置し、他方回転部材７１が逆回転すると、ねじ外し防止部材９４が室内側に移動し、ねじ４５が現れるようになっている。
【００２９】
このように構成された引き違いサッシにおいて、施錠装置Ｓ１を施錠するには、操作部材７２の操作部７３を指で押し下げる。そうすると、操作部材７２が下降して行き、この操作部材７２の下降移動がラック７７、２段歯車７８、２段歯車８２および小歯車８３の歯車動力伝達機構により、回転部材７１に回転運動として伝達され、回転部材７１が正回転する。回転部材７１が正回転すると、六角ボルト８８が穴８７内を室外側に移動し、六角ボルト８８の先端部が錠受け３０Ａの雌ねじ６３にねじ込まれるとともに、ねじ外し防止部材９４も室外側に移動し、ケース６５を召合せ框２４に固定しているねじ４５を隠す。その後、番号式鍵７６の鍵をかけて操作部材７２が移動できないようにする。
【００３０】
一方、施錠装置Ｓ１を解錠するには、まず、番号式鍵７６の鍵をあけて操作部材７２を移動できるようにし、その後操作部材７２の操作部７３を指で引き上げる。そうすると、操作部材７２が上昇して行き、この操作部材７２の上昇移動がラック７７等の歯車動力伝達機構により、回転部材７１に回転運動として伝達され、回転部材７１が逆回転する。回転部材７１が逆回転すると、六角ボルト８８が穴８７内を室内側に移動し、六角ボルト８８の先端部が錠受け３０Ａの雌ねじ６３から離れるとともに、ねじ外し防止部材９４も室内側に移動し、ねじ４５を隠す位置から離れて、ねじが現れ、ねじ４５を取り外すことができる。
【００３１】
この引き違いサッシにあっては、内障子８の召合せ框２４に設けられたケース６５内に、施錠装置Ｓ１の錠本体が設けられているので、引き違いサッシを室外から覗いても、施錠のタイプや施錠の状態が分かり難く、空き巣等が侵入をためらうため、防犯性能が高い。また、外障子７あるいは内障子８の一部が破って施錠装置Ｓ１を解錠しようとした場合でも、錠本体がケース６５内に設けられているので、錠本体が見え難く、施錠方法が分かり難いため、解錠され難い。また、クレセント錠などの施錠装置が設置されている引き違いサッシにおいて、召合せ框２４の構造を変えることなく、クレセント錠に代えてまたは追加して、施錠装置Ｓを容易に設置することができる。さらに、施錠操作すると、ねじ外し防止部材５５がケース４１を召合せ框２４に固定しているねじ４５を隠すので、貫通孔６９を通じてねじ４５を緩め、錠本体部４０を内障子８から取り外すのを防止することができ、防犯性能がさらに高い。操作部材７２を押し下げることにより、六角ボルト８８が錠受け３０Ａの雌ねじ６３に螺合され、操作部材７２を引き上げることにより、六角ボルト８８が錠受け３０Ａの雌ねじ６３から離れるので、施錠操作および解錠操作が簡単である。また、六角ボルト８８を錠受け３０Ａの雌ねじ６３に螺合させることにより施錠するので、施錠が確実である。
【００３２】
以上、この発明を実施の形態により説明したが、この発明はこれに限られるものではなく、発明の趣旨に添って種々の改変が可能である。例えば、上述の実施の形態では、外障子および内障子を設けたが、これに代えて、外障子、中障子および内障子を設けるようにしてもよい。また、上述の実施の形態では、本発明を２枚建ての引き違いサッシに適用した場合について説明したが、本発明は、例えば、４枚建ての引き違いサッシ等にも適用することができる。さらに、片引きサッシなどにも適用することができる。
【図面の簡単な説明】
【００３３】
【図１】本発明の第１の実施の形態に係る引き違いサッシを示す図であって、室内側からみた姿図である。
【図２】同、要部の横断面図である。
【図３】同、解錠状態の施錠装置の縦断面図である。
【図４】同、錠受けを上側から見た図である。
【図５】同、錠受けを室内側から見た図である。
【図６】同、解錠状態の錠本体部を室外側から見た斜視図である。
【図７】同、解錠状態の錠本体部を室内側から見た斜視図である。
【図８】同、解錠状態の錠本体部の側面図である。
【図９】同、解錠状態の錠本体部を室内側から見た図である。
【図１０】同、解錠状態の錠本体部を上側から見た図である。
【図１１】本発明の第２の実施の形態に係る引き違いサッシを示す図であって、要部の横断面図である。
【図１２】同、施錠装置の縦断面図である。
【図１３】同、解錠状態の錠本体部を室外側から見た斜視図である。
【図１４】同、解錠状態の錠本体部を室内側から見た斜視図である。
【図１５】同、解錠状態の錠本体部の側面図である。
【図１６】同、解錠状態の錠本体部を室内側から見た図である。
【図１７】同、解錠状態の錠本体部を上側から見た図である。
【図１８】同、錠受けの側面図である。
【図１９】同、錠受けを上側から見た図である。
【符号の説明】
【００３４】
７    外障子（障子）
８    内障子（障子）
１４    召合せ框
２４    召合せ框
Ｓ、Ｓ１    施錠装置
３０、３０Ａ    錠受け
４０、４０Ａ    錠本体部
４１、６５    ケース
４５    ねじ
４８、６９    貫通孔
５５、９４    ねじ外し防止部材
【図１】
2005315014.tif 000003
【図２】
2005315014.tif 000004
【図３】
2005315014.tif 000005
【図４】
2005315014.tif 000006
【図５】
2005315014.tif 000007
【図６】
2005315014.tif 000008
【図７】
2005315014.tif 000009
【図８】
2005315014.tif 000010
【図９】
2005315014.tif 000011
【図１０】
2005315014.tif 000012
【図１１】
2005315014.tif 000013
【図１２】
2005315014.tif 000014
【図１３】
2005315014.tif 000015
【図１４】
2005315014.tif 000016
【図１５】
2005315014.tif 000017
【図１６】
2005315014.tif 000018
【図１７】
2005315014.tif 000019
【図１８】
2005315014.tif 000020
【図１９】
2005315014.tif 000021